(57)【特許請求の範囲】
【請求項１】
ディスクが載置され回転駆動されるターンテーブルと、前記ディスクを前記ターンテーブル上に押圧して保持するクランパーとを備えたディスククランプ機構において、前記クランパーの中心にピンを設けるとともに、前記ターンテーブルに埋設されたチャッキングヨーク上面に前記ピンと係合する回転中心孔と前記回転中心孔へ通じる螺旋状溝部とを設けたことを特徴とするディスククランプ機構。
【請求項２】
請求項１記載のディスククランプ機構を用い、ディスククランプ動作完了後、ターンテーブルを少なくとも数回転させることを特徴とするディスク装置。
【発明の詳細な説明】
【０００１】
【発明の属する技術分野】
本発明は、ディスク装置に用いられるディスククランプ機構に関し、特に回転駆動されるターンテーブル上に載置されたディスクを保持するディスククランプ機構およびこれを用いたディスク装置に関する。
【０００２】
【従来の技術】
従来のディスククランプ機構の一例について図面を参照して説明する。図５は、従来のディスククランプ機構の一例を示す斜視図であり、図６は図５の断面図である。また、図７および図８は、図５のディスククランプ機構がディスク装置に搭載された状態を示す斜視図である。
【０００３】
図面を参照すると、従来のディスククランプ機構は、記憶媒体であるディスク１０１と、ディスク１０１の回転駆動させるスピンドルモータ１０２と、ディスク１０１を載置するターンテーブル１０３と、ディスク１０１をターンテーブル１０３上に押圧するクランパー１０４と、鉄系部材よりなり磁気回路を構成するチャッキングヨーク１０５と、磁気吸引力を発生させるマグネット１０６と、ターンテーブル１０３の回転中心となるターンテーブルセンター１０７と、これらを搭載するためのメカシャーシ１０８，ベースシャーシ１０９，インシュレータ１１０およびクランパーベース１１１とから構成されている。
【０００４】
そして、クランパー１０４の中心にはピン１０４ａが設けられている。また、チャッキングヨーク１０５の中心には中心孔１０５ａが設けられ、この中心孔１０５ａの端部にはガイド用のテーパ１０５ｂが設けられている。
【０００５】
このように従来のディスククランプ機構は、中心孔を有する円板状のディスク１０１を載置するターンテーブル１０３と、ディスク１０１をターンテーブル１０３上に押し付け、保持するクランパー１０４とから概略構成されており、ターンテーブル１０３の中心部は、隆起状に盛り上がりターンテーブルセンター１０７を形成し、中心部にはチャッキングヨーク１０５が埋設されている。そして、下端中心部はスピンドルモータ１０２のモータ軸と固着され、ターンテーブル１０３はスピンドルモータ１０２により回転駆動される。
【０００６】
一方、クランパー１０４にはマグネット１０６が埋設されており、ターンテーブル１０３のターンテーブルセンター１０７にディスク１０１の中心孔を係合させ、ターンテーブル１０３上に載置されたディスク１０１は、マグネット１０６がチャッキングヨーク１０５に吸引されることにより、クランパー１０４とターンテーブル１０３とで保持される。
【０００７】
さらに、チャッキングヨーク１０５の中心には、中心孔１０５ａが設けられており、クランパー１０４の中心に設けられたピン１０４ａが係合することによって、ターンテーブル１０３が高速回転してもターンテーブル１０３からクランパー１０４が遠心力によって離脱しないように構成されている。さらに、チャッキングヨーク１０５の中心孔１０５ａにはテーパ１０５ｂが設けられているので、ディスククランプ動作時にクランパー１０４の中心に設けられたピン１０４ａが引き込み易くなっている。
【０００８】
続いて、ディスク装置内におけるスピンドルモータ１０２とクランパー１０４の保持方法について図７および図８を参照して説明する。まず、ベースシャーシ１０９には、クランパーベース１１１が固定されており、クランパー１０４は、クランパーベース１１１内で自由に動き回ることができるように保持されている。
【０００９】
一方、スピンドルモータ１０２は、メカシャーシ１０８に固定されており、メカシャーシ１０８は振動低減のためのインシュレータ１１０を介してベースシャーシ１０９に取り付けられている。ディスククランプ動作時、メカシャーシ１０８は別に構成する駆動系によりベースシャーシ１０９内で動作し、チャッキングヨーク１０５の中心孔１０５ａにクランパー１０４の中心に設けられたピン１０４ａを引き込むことができるように構成されている。
【００１０】
【発明が解決しようとする課題】
しかしながら、上述した従来のディスククランプ機構は、記録媒体上の情報を再生・記録・消去するための光ディスク装置の高速化に伴って、振動低減のためにインシュレータの硬度をより下げる必要性が生じてきたが、このために、ディスククランプ動作時にチャッキングヨークの中心孔とクランパーの中心に設けられたピンとの位置ずれが大きくなり、中心孔にピンを引き込むことが困難であった。
【００１１】
そのため、ピンを引き込み易いようにガイド用のテーパを大きくすると、ターンテーブルセンターの形状も大きくなり、規格化されている光ディスク装置の大きさを満たすことができないという欠点があった。
【００１２】
本発明の目的は、かかる課題を解決するためになされたもので、ターンテーブルセンターの大きさを変えることなく、ターンテーブルに対するクランパーの誘い込みを容易に実現するディスククランプ機構を提供することにある。
【００１３】
【課題を解決するための手段】
本発明のディスククランプ機構は、ディスクが載置され回転駆動されるターンテーブルと、ディスクをターンテーブル上に押圧して保持するクランパーとを備えたディスククランプ機構において、クランパーの中心にピンを設けるとともに、ターンテーブルに埋設されたチャッキングヨーク上面にピンと係合する回転中心孔と回転中心孔へ通じる螺旋状溝部とを設けたことを特徴とする。
【００１４】
本発明のディスク装置は、ディスククランプ機構を用い、ディスククランプ動作完了後、ターンテーブルを少なくとも数回転させることを特徴とする。
【００１５】
【発明の実施の形態】
次に、本発明について図面を参照して説明する。図１は、本発明の一実施の形態を示す斜視図である。また、図２は図１の断面図であり、図３および図４は、図１のディスククランプ機構がディスク装置に搭載された状態を示す斜視図である。
【００１６】
図１から図４を参照すると、本発明のディスククランプ機構は、記憶媒体であるディスク１と、ディスク１の回転駆動させるスピンドルモータ２と、ディスク１を載置するターンテーブル３と、ディスク１をターンテーブル３上に押圧するクランパー４と、鉄系部材よりなり磁気回路を構成するチャッキングヨーク５と、磁気吸引力を発生させるマグネット６と、ターンテーブル３の回転中心となるターンテーブルセンター７と、これらを搭載するためのメカシャーシ８，ベースシャーシ９，インシュレータ１０およびクランパーベース１１とから構成されている。
【００１７】
そして、クランパー４の中心にはピン４ａが設けられている。また、チャッキングヨーク５の中心には中心孔５ａが設けられ、さらに、チャッキングヨーク５の上面には中心孔５ａに対して螺旋状の溝５ｂが設けられている。そして、中心孔５ａにピン４ａが係合することによって、ターンテーブル３が高速回転してもターンテーブル３からクランパー４が遠心力によって離脱しないように構成されている。
【００１８】
次に、このような構成のディスククランプ機構の動作を説明する。ベースシャーシ９にはクランパーベース１１が固定されており、クランパー４はクランパーベース１１内で自由に動き回ることができるように保持されている。一方、スピンドルモータ２はメカシャーシ８に固定されており、メカシャーシ８は振動を低減するためのインシュレータ１０を介してベースシャーシ９に取り付けられている。
【００１９】
スピンドルモータ２のモータ軸には、ターンテーブル３が固定され、その中心部は隆起状に盛り上がりターンテーブルセンター７を形成し、上部には鉄系部材よりなるチャッキングヨーク５が埋設されている。そして、チャッキングヨーク５上面には螺旋形の溝５ｂが切り込まれるとともに、その中心には中心孔５ａが構成されている。一方、クランパー４にはマグネット６が埋設されるとともに、その中心にはディスククランプ時中心孔７ａに係合するピン４ａが設けられている。
【００２０】
これにより、ターンテーブル３上に載置されたディスク１は、マグネット６がチャッキングヨーク５に吸引されることにより、クランパー４とターンテーブル３とで保持されるが、ターンテーブルセンター７に埋設されたチャッキングヨーク５上面に螺旋形の溝５ｂを設けてあるため、ディスククランプ動作の際にピン４ａの位置がずれていても、ピン４ａは螺旋形の溝５ｂによって中心孔７ａへと誘導され容易に係合することができる。なお、確実な係合をはかるためにディスククランプ動作後にはターンテーブル３を数回程度回転させる。
【００２１】
【発明の効果】
以上説明したように、本発明のディスククランプ機構は、ターンテーブルの大きさを変えることなく、しかもディスククランプ動作時にチャッキングヨークの中心孔とクランパーの中心に設けられたピンの位置ずれが大きくなっても、クランパーの中心に設けられたピンは、ターンテーブルセンターに埋設されたチャッキングヨーク上面に設けられた螺旋形の溝に容易に係合することができる。
【００２２】
そのため、クランパーの中心に設けられたピンは、ターンテーブルを数回転させることにより、螺旋形の溝外周壁に沿ってチャッキングヨークの中央へと移動し、チャッキングヨークの中心に設けた孔へ容易に引き込むことが可能となる。
【図面の簡単な説明】
【図１】本発明の一実施の形態を示す斜視図である。
【図２】図１の断面図である。
【図３】図１のディスククランプ機構がディスク装置に搭載された状態を示す斜視図である。
【図４】図１のディスククランプ機構がディスク装置に搭載された状態を示す斜視図である。
【図５】従来のディスククランプ機構の一例を示す斜視図である。
【図６】図５の断面図である。
【図７】図５のディスククランプ機構がディスク装置に搭載された状態を示す斜視図である。
【図８】図５のディスククランプ機構がディスク装置に搭載された状態を示す斜視図である。
【符号の説明】
１，１０１    ディスク
２，１０２    スピンドルモータ
３，１０３    ターンテーブル
４，１０４    クランパー
４ａ，１０４ａ    ピン
５，１０５    チャッキングヨーク
５ａ，１０５ａ    中心孔
５ｂ    螺旋形の溝
１０５ｂ  テーパ
６，１０６    マグネット
７，１０７    ターンテーブルセンター
８，１０８    メカシャーシ
９，１０９    ベースシャーシ
１０，１１０    インシュレータ
１１，１１１    クランパーベース
【図１】
0003675369.tif 000002
【図２】
0003675369.tif 000003
【図３】
0003675369.tif 000004
【図４】
0003675369.tif 000005
【図５】
0003675369.tif 000006
【図６】
0003675369.tif 000007
【図７】
0003675369.tif 000008
【図８】
0003675369.tif 000009